(57)【要約】 【課題】  外部から力が加わっても、ケーブルからコアケースが外れにくいスナップフィット構造を有するノイズ吸収装置を提供する。【解決手段】  円筒状の磁性体コア２を軸方向に２分割した一対のコア片２ａ、２ｂと、これらのコア片２ａ、２ｂのそれぞれを収納する、軸方向に２分割した一対のケース片３ａ、３ｂをヒンジ７で繋いだコアケース３とからなり、ケース片３ａの、ヒンジを設けた一辺と対向する他辺に係止フックを設け、ケース片３ｂにこの係止フックと係合する係止爪を設けたノイズ吸収装置１において、係止フック４と係止爪５のそれぞれの係合部分に段部４ａ、５ａを設ける。【選択図】  図２
2005150561.tif 000002
【特許請求の範囲】
【請求項１】
筒状の磁性体コアを長手方向に２分割した一対のコア片と、該コア片のそれぞれを収納する、長手方向に２分割した一対のケース片をヒンジで繋いだコアケースとからなり、前記ケース片の一方の、前記ヒンジを設けた一辺の対向する他辺に係止フックを設け、前記ケース片の他方に前記係止フックと係合する係止爪を設けたノイズ吸収装置において、前記係止フックと前記係止爪のそれぞれの係合部分に段部を設けたこと特徴とするノイズ吸収装置。
【請求項２】
前記ケース片の前記コア片を収納する底部にコア押圧部を設けたことを特徴とする請求項１記載のノイズ吸収装置。
【請求項３】
前記ケース片の長手方向の両端にケーブル保持部を設けたことを特徴とする請求項１又は２記載のノイズ吸収装置。
【請求項４】
前記コア片の長手方向の両端の内側縁部に係止凹部を設けるとともに、ケース片の底部に前記コア片の係止凹部に係合するコア保持爪を設けたことを特徴とする請求項１〜３のいずれかに記載のノイズ吸収装置。
【発明の詳細な説明】
【技術分野】
【０００１】
本発明は、電子機器に接続される信号線等のケーブルからの輻射ノイズあるいはケーブルへの誘導ノイズを防止するノイズ吸収装置に関する。
【背景技術】
【０００２】
電子機器における信号のディジタル化、高速化に伴って、信号ラインで発生、受信される不要輻射ノイズ等による信号の混信、誤動作への対応が従来から重要な問題となっている。
【０００３】
これらの対策として、電子機器内、電子機器間のケーブルに、Ｎｉ−Ｚｎ系フェライト等の分割型磁性体コアを貫通させ、この磁性体コアを分割型コアケースの内部に収納したノイズ吸収装置が用いられている（例えば、特許文献１、特許文献２等）。このようなノイズ吸収装置を用いる際、コアケースに磁性体コアを保持し、ケーブルに安定して取り付ける必要があるため、様々な構造が採用されている。例えば、特許文献１では、磁性体コアに弾性片を介在させてコアケースの底部に収納し、コアケースから磁性体コアの脱落を防止することが開示されている。また、特許文献２では、コアケースの内部側壁に突起を設けるとともに、磁性体コアにその突起と係合する凹部を設け、コアケースから磁性体コアの脱落を防止することが開示されている。
【０００４】
また、図３に、典型的な従来のノイズ吸収装置を示す。図３（ａ）、図３（ｂ）に示すように、従来のノイズ吸収装置１１は、円筒状の磁性体コアを軸方向に２分割した一対のコア片２ａ、２ｂと、これらのコア片２ａ、２ｂを収納する一対のケース片１３ａ、１３ｂをヒンジ７で繋いだコアケース１３とからなる。
【０００５】
また、図３（ｃ）、図３（ｄ）に示すように、ケース片１３ａ、１３ｂのヒンジ７が設けられた一辺と対向する他辺のそれぞれに、係止フック１４と係止爪１５が設けられ、これらを係合させることで、分割型の磁性体コア２をケーブルに取り付けることができる構造、いわゆるスナップフィット構造を有し、さらに、図３（ｅ）に示すように、これらの係合部分には、テーパ１４ａ、１５ａが設けられている。
【０００６】
【特許文献１】特開平７−１２２４３３号公報
【特許文献２】特開平８−１５３６２７号公報
【発明の開示】
【発明が解決しようとする課題】
【０００７】
しかし、上記の従来例では、係止フックと係止爪の係合部分にはテーパが設けられているのみであるので、横方向（係合部分に対して垂直方向）の力が加わると係合部分が外れる場合があるという欠点があった。
【０００８】
本発明は、上記の課題を解決し、外部から力が加わっても、ケーブルからコアケースが外れにくいスナップフィット構造を有するノイズ吸収装置を提供することにある。
【課題を解決するための手段】
【０００９】
本発明は、筒状の磁性体コアを長手方向に２分割した一対のコア片と、該コア片のそれぞれを収納する、長手方向に２分割した一対のケース片をヒンジで繋いだコアケースとからなり、前記ケース片の一方の、前記ヒンジを設けた一辺の対向する他辺に係止フックを設け、前記ケース片の他方に前記係止フックと係合する係止爪を設けたノイズ吸収装置において、前記係止フックと前記係止爪のそれぞれの係合部分に段部を設けたこと特徴とするノイズ吸収装置である。
【００１０】
また、本発明は、前記ケース片の前記コア片を収納する底部にコア押圧部を設けたことを特徴とする上記のノイズ吸収装置である。
【００１１】
また、本発明は、前記ケース片の長手方向の両端にケーブル保持部を設けたことを特徴とする上記のノイズ吸収装置である。
【００１２】
また、本発明は、前記コア片の長手方向の両端の内側縁部に係止凹部を設けるとともに、ケース片の底部に前記コア片の係止凹部に係合するコア保持爪を設けたことを特徴とする上記のノイズ吸収装置である。
【発明の効果】
【００１３】
以上説明したように、本発明によれば、外部から力が加わっても、ケーブルからコアケースが外れにくいスナップフィット構造を有するノイズ吸収装置を提供することができる。本発明において、スナップフィット構造の係合を外すには一度、係止フックが設けられたケース片を下に下げるか、または係止爪が設けられたケース片を上に上げるかしてからでないと、係止フックと係止爪の係合を解くことができないので、外部から力が加わってもケーブルからコアケースが外れにくい。
【発明を実施するための最良の形態】
【００１４】
以下、本発明の実施の形態を図面を参照して説明する。図１は、本発明の一実施の形態におけるノイズ吸収装置の説明図であり、図１（ａ）は、外観斜視図、図１（ｂ）は、閉じた状態の平面図、図１（ｃ）は、開いた状態の平面図、図１（ｄ）は、図１（ｃ）のＢ−Ｂ線断面図である。図２は、本発明の一実施の形態のノイズ吸収装置における係止フック、係止爪の説明図であり、図２（ａ）は、図１（ｂ）のＡ−Ａ線断面図、図２（ｂ）は、図２（ａ）のＣ部の拡大断面図である。従来例と同じ構成のものは同じ符号で示す。
【００１５】
基本構成は、図３の従来のノイズ吸収装置と同様である。即ち、図１（ｂ）、図１（ｃ）に示すように、本発明のノイズ吸収装置１は、一対のコア片２ａ、２ｂとから構成される磁性体コア２と、これらのコア片２ａ、２ｂをそれぞれ収納する一対のケース片３ａ、３ｂの長辺をヒンジ７で繋いだコアケース３とからなる。
【００１６】
コア片２ａ、２ｂは、Ｎｉ−Ｚｎフェライト等の磁性材料からなり、円筒状の磁性体コア２を長手方向に２個に等分割したものである。凹面側の長手方向の両端の縁部に、係止凹部２０が設けられている。
【００１７】
ケース片３ａ、３ｂは、ポリプロピレン樹脂等の絶縁性樹脂からなり、略円筒体を長手方向に２個に等分割したもので、長手方向の両端に壁部３１とこれに連続する側壁部３２に囲まれた、コア片２ａ、２ｂを収納する収納凹部を具備し、側壁部３２に略半円形で、閉じた際に略円形となるケーブル挿通部３３［図１（ａ）に示す］を有する。また、ケース片３ａ、３ｂのそれぞれにケーブル保持部８、コア押圧部９、コア保持爪１０が２個ずつ設けられている。ケーブル保持部８は、壁部３１の中央に２箇所切り込みを入れてスリットを設け、その先端に半円状の切欠き部を形成したものである。
【００１８】
図１（ｄ）に示すように、コア押圧部９は、収納凹部の底部に設けられ、板状で中央部から壁部に近づくにしたがってコア片２ａに向かい反った構造となっていて、先端にはコア片２ａに接触する凸部９ａを具備する。コア保持爪１０は、収納凹部の両端のケーブル保持部８付近にあり、これと連続して形成され、コア片２ａをコアケース３に収納した際、コア片２ａの係止凹部２０と係合する構造である。
【００１９】
また、図２（ａ）、図２（ｂ）に示すように、ケース片３ａ、３ｂのヒンジで繋いだ側壁部の縁端である長辺と反対側に対向する他の長辺に係止フック４と、コアケース３を閉じた際、これに係合する係止爪５がそれぞれ形成されている。係止フック４と係止爪５は、コア片２ａ、２ｂを収納したときのこれらの接合面よりやや突出した構造であり、係止フック４は貫通穴を有するロ字状で、係止爪５はその貫通穴に嵌合できる大きさの矩形状である。この係止フック４、係止爪５の係合部分（図２では下側に相当）には、それぞれ段部４ａ、５ａが設けられている。係止フック４に設けられた段部４ａは、内側（コア片２ａ、２ｂのある側）が凸状で、係止爪５に設けられた段部５ａは、外側が凸状となっている。これにより、コアケースを閉じた際、段部４ａ、５ａどうしが強固に嵌合、保持され、外部から、特に図２で横方向から力が加わっても、ケース片どうしが外れない。
【００２０】
図１（ａ）に示すように、２個のコア片を凹面側を上にしてケース片の収納凹部にそれぞれ収納し、ケーブルに一方のコア片の凹面を長手方向に当接させ、他方のケース片を閉じて、係止フック４と係止爪５を係合させることにより、２個のコア片がコア押圧部９に押圧されると同時に、ケーブルがケーブル保持部８で挟持され、ケーブルに本発明のノイズ吸収装置１が強固に保持される。
【００２１】
なお、本発明は上記の実施の形態に限られず、本発明の範囲内で各種の変更が可能である。例えば、コア片、係止凹部の形状、ケース片の係止フック、係止爪、段部の形状及びこれらの設置位置等は上記の実施の形態に限られない。
【図面の簡単な説明】
【００２２】
【図１】本発明の一実施の形態におけるノイズ吸収装置の説明図。図１（ａ）は、外観斜視図。図１（ｂ）は、閉じた状態の平面図。図１（ｃ）は、開いた状態の平面図。図１（ｄ）は、図１（ｃ）のＢ−Ｂ線断面図。
【図２】本発明の一実施の形態のノイズ吸収装置における係止フック、係止爪の説明図。図２（ａ）は、図１（ｂ）のＡ−Ａ線断面図。図２（ｂ）は、図２（ａ）のＣ部の拡大断面図。
【図３】従来のノイズ吸収装置の説明図。図３（ａ）は、開いた状態の平面図。図３（ｂ）は、閉じた状態の平面図。図３（ｃ）は、図３（ａ）のＤ−Ｄ線断面図。図３（ｄ）は、図３（ｂ）のＥ−Ｅ線断面図。図３（ｅ）は、図３（ｄ）のＦ部の拡大断面図。
【符号の説明】
【００２３】
１，１１    ノイズ吸収装置
２    磁性体コア
２ａ，２ｂ    コア片
３，１３    コアケース
３ａ，３ｂ，１３ａ，１３ｂ    ケース片
４，１４    係止フック
４ａ，５ａ    段部
５，１５    係止爪
７    ヒンジ
８    ケーブル保持部
９    コア押圧部
９ａ    凸部
１０    コア保持爪
１４ａ，５ａ    テーパ
２０    係止凹部
３１    壁部
３２    側壁部
３３    ケーブル挿通部
【図１】
2005150561.tif 000003
【図２】
2005150561.tif 000004
【図３】
2005150561.tif 000005